【手続補正書】
【提出日】平成16年11月19日(2004.11.19)
【手続補正１】
【補正対象書類名】明細書
【補正対象項目名】発明の名称
【補正方法】変更
【補正の内容】
【発明の名称】電子受発注システム、管理サーバ、および電子受発注方法
【手続補正２】
【補正対象書類名】明細書
【補正対象項目名】特許請求の範囲
【補正方法】変更
【補正の内容】
【特許請求の範囲】
【請求項１】
ネットワークを介して物品の受発注を行う際に、発注業者の端末と受注業者の端末との間に介在する管理サーバを有する電子受発注システムであって、前記管理サーバは、前記発注業者が前記受注業者に発注する物品の価格データが保存された物品価格データベースと、前記発注業者からの要求に応じて所定物品の価格データを前記物品価格データベースから抽出する抽出手段と、該抽出手段が抽出した価格データと発注数量とから発注データを作成すると共にこの発注データを前記受注業者の端末に送信する発注手段とを有し、且つ前記物品価格データベースには、価格単位と発注単位とが同一である定貫物品の価格データと共に価格単位と発注単位とが異なる不定貫物品の価格データが保存されていることを特徴とする電子受発注システム。
【請求項２】
前記不定貫物品の価格データには、この不定貫物品の単位度量衡当たりの発注価格と発注単位当たりの標準度量衡とが含まれていることを特徴とする請求項１に記載の電子受発注システム。
【請求項３】
前記所定物品が不定貫物品である場合に、前記抽出手段が、前記物品価格データベースから抽出した前記単位度量衡当たりの発注価格及び前記発注単位当たりの標準度量衡と、前記発注業者の端末から前記管理サーバに送信される発注数量とから前記所定物品の発注金額を算出し、前記価格データと共に算出した発注金額を前記発注業者の端末に送信することを特徴とする請求項２に記載の電子受発注システム。
【請求項４】
前記所定物品が不定貫物品である場合に、前記抽出手段が、前記物品価格データベースから抽出した前記単位度量衡当たりの発注価格と前記発注単位当たりの標準度量衡とを前記発注業者の端末に送信し、前記発注手段が前記抽出手段によって送信された単位度量衡当たりの発注価格及び発注単位当たりの標準度量衡と、前記発注業者の端末に入力される発注数量とから前記所定物品の発注金額を算出することを特徴とする請求項２に記載の電子受発注システム。
【請求項５】
前記管理サーバが、前記受注業者が前記発注業者に納品する物品の納品単位当たりの価格と納品数量とから納品金額を算出して納品データを作成すると共に、この納品データを前記発注業者の端末に送信する納品手段をさらに有することを特徴とする請求項１〜４の何れかに記載の電子受発注システム。
【請求項６】
前記納品手段は、前記発注データの発注単位当たりの価格を前記納品単位当たりの価格として前記納品金額を算出することを特徴とする請求項５に記載の電子受発注システム。
【請求項７】
前記納品手段は、納品する物品が不定貫物品である場合に、納品される物品の度量衡の値及び単位度量衡当たりの納品価格の入力を要求し、入力された度量衡の値と単位度量衡当たりの納品価格とから前記納品金額を算出することを特徴とする請求項５又は６に記載の電子受発注システム。
【請求項８】
発注する物品の識別情報である物品コードと前記物品の発注数量とからなる物品データを入力し、前記物品データを送信する発注業者の端末と、前記発注業者の端末から前記物品データを受信し、前記物品データを基に発注データを作成する管理サーバと、前記管理サーバから前記発注データを受信する受注業者の端末とからなる電子受発注システムであって、
前記管理サーバが、
前記発注業者の端末、および前記受注業者の端末と通信する通信手段と、
前記発注業者の端末で発注可能な物品の内、定貫物品の発注単位あたりの価格である発注単価データと、不定貫物品の発注単位あたりの標準的な度量衡である標準度量衡データと、不定貫物品の単位度量衡あたりの価格である度量衡単価データとを記憶する物品価格データベースと、
前記発注業者の端末から受信した前記物品データが示す物品が定貫物品の場合、前記物品価格データベースから前記定貫物品の前記発注単価データを読み出し、前記物品データが示す物品が不定貫物品の場合、前記物品価格データベースから前記不定貫物品の前記標準度量衡データおよび前記度量衡単価データを読み出す抽出手段と、
前記物品データが示す物品が定貫物品の場合、前記発注数量に、前記抽出手段が読み出した前記定貫物品の前記発注単価データを乗じて算出した発注金額を含む発注データを作成し、前記物品データが示す物品が不定貫物品の場合、前記発注数量に、前記抽出手段が読み出した前記不定貫物品の前記標準度量衡データ、および前記度量衡単価データとを乗じて算出した発注金額を含む発注データを作成する発注手段と
を有する管理サーバである、電子受発注システム。
【請求項９】
前記管理サーバはさらに、前記受注業者の端末から受信する前記受注業者により納品された物品の納品数量に、前記納品された物品の納品単価データを乗じて算出した納品金額を含む納品データを作成する納品手段を有する
請求項８に記載の電子受発注システム。
【請求項１０】
前記納品単価データは、前記物品価格データベースに記憶されている前記価格データと同一である
請求項９に記載の電子受発注システム。
【請求項１１】
前記納品単価データは、前記納品された物品の納品数量と共に前記受注業者の端末から送信されるデータである
請求項９に記載の電子受発注システム。
【請求項１２】
前記納品単価データは、前記納品した物品が不定貫物品である場合、前記納品された物品の納品数量と共に前記受注業者の端末から送信されるデータである
請求項９に記載の電子受発注システム。
【請求項１３】
発注する物品の識別情報である物品コードと前記物品の発注数量とからなる物品データを入力し、前記物品データを送信する発注業者の端末と、前記発注業者の端末から前記物品データを受信し、前記物品データを基に発注データを作成する管理サーバと、前記管理サーバから前記発注データを受信する受注業者の端末とからなる電子受発注システムで使用される、管理サーバであって、
前記発注業者の端末、および前記受注業者の端末と通信する通信手段と、
前記発注業者の端末で発注可能な物品の内、定貫物品の発注単位あたりの価格である発注単価データと、不定貫物品の発注単位あたりの標準的な度量衡である標準度量衡データと、不定貫物品の単位度量衡あたりの価格である度量衡単価データとを記憶する物品価格データベースと、
前記発注業者の端末から受信した前記物品データが示す物品が定貫物品の場合、前記物品価格データベースから前記定貫物品の前記発注単価データを読み出し、前記物品データが示す物品が不定貫物品の場合、前記物品価格データベースから前記不定貫物品の前記標準度量衡データ、および前記度量衡単価データを読み出す抽出手段と、
前記物品データが示す物品が定貫物品の場合、前記発注数量に、前記抽出手段が読み出した前記定貫物品の前記発注単価データを乗じて算出した発注金額を含む発注データを作成し、前記物品データが示す物品が不定貫物品の場合、前記発注数量に、前記抽出手段が読み出した前記不定貫物品の前記標準度量衡データ、および前記度量衡単価データとを乗じて算出した発注金額を含む発注データを作成する発注手段と
を有する管理サーバ。
【請求項１４】
さらに、前記受注業者の端末から受信する前記受注業者により納品された物品の納品数量に、前記納品された物品の納品単価データを乗じて算出した納品金額を含む納品データを作成する納品手段を有する
請求項１３に記載の管理サーバ。
【請求項１５】
前記納品単価データは、前記物品価格データベースに記憶されている前記価格データと同一である
請求項１４に記載の管理サーバ。
【請求項１６】
前記納品単価データは、前記納品された物品の納品数量と共に前記受注業者の端末から送信されるデータである
請求項１４に記載の管理サーバ。
【請求項１７】
前記納品単価データは、前記納品した物品が不定貫物品である場合、前記納品された物品の納品数量と共に前記受注業者の端末から送信されるデータである
請求項１４に記載の管理サーバ。
【請求項１８】
発注する物品の識別情報である物品コードと前記物品の発注数量とからなる物品データを入力し、前記物品データを送信する発注業者の端末と、前記発注業者の端末から前記物品データを受信し、前記物品データを基に発注データを作成する管理サーバと、前記管理サーバから前記発注データを受信する受注業者の端末とからなる電子受発注システムで使用される、電子受発注方法であって、
前記発注業者の端末が、前記発注する物品の識別情報である物品コードと前記物品の発注数量とからなる物品データを送信するステップと、
前記管理サーバが、前記発注業者の端末から、前記物品データを受信するステップと、
前記管理サーバが、前記発注業者の端末で発注可能な物品の内、定貫物品の発注単位あたりの価格である発注単価データと、不定貫物品の発注単位あたりの標準的な度量衡である標準度量衡データと、不定貫物品の単位度量衡あたりの価格である度量衡単価データとを、物品価格データベースに記憶するステップと、
前記管理サーバが、前記発注業者の端末から受信した前記物品データが示す物品が定貫物品の場合、前記物品価格データベースから前記定貫物品の前記発注単価データを読み出し、前記物品データが示す物品が不定貫物品の場合、前記物品価格データベースから前記不定貫物品の前記標準度量衡データおよび前記度量衡単価データを読み出すステップと、
前記管理サーバが、前記物品データが示す物品が定貫物品の場合、前記発注数量に、前記抽出手段が読み出した前記定貫物品の前記発注単価データを乗じて算出した発注金額を含む発注データを作成し、前記物品データが示す物品が不定貫物品の場合、前記発注数量に、前記抽出手段が読み出した前記不定貫物品の前記標準度量衡データ、および前記度量衡単価データとを乗じて算出した発注金額を含む発注データを作成するステップと
を有する電子受発注方法。
【請求項１９】
前記管理サーバが、前記受注業者の端末から受信する前記受注業者により納品された物品の納品数量に、前記納品された物品の納品単価データを乗じて算出した納品金額を含む納品データを作成するステップをさらに有する、請求項１８に記載の電子受発注方法。
【請求項２０】
発注する物品の識別情報である物品コードと前記物品の発注数量とからなる物品データを入力し、前記物品データを送信する発注業者の端末と、前記発注業者の端末から前記物品データを受信し、前記物品データを基に発注データを作成する管理サーバと、前記管理サーバから前記発注データを受信する受注業者の端末とからなる電子受発注システムで使用される、管理サーバに用いられる電子受発注方法であって、
前記発注業者の端末から、前記物品データを受信するステップと、
前記発注業者の端末で発注可能な物品の内、定貫物品の発注単位あたりの価格である発注単価データと、不定貫物品の発注単位あたりの標準的な度量衡である標準度量衡データと、不定貫物品の単位度量衡あたりの価格である度量衡単価データとを、物品価格データベースに記憶するステップと、
前記発注業者の端末から受信した前記物品データが示す物品が定貫物品の場合、前記物品価格データベースから前記定貫物品の前記発注単価データを読み出し、前記物品データが示す物品が不定貫物品の場合、前記物品価格データベースから前記不定貫物品の前記標準度量衡データおよび前記度量衡単価データを読み出すステップと、
前記物品データが示す物品が定貫物品の場合、前記発注数量に、前記抽出手段が読み出した前記定貫物品の前記発注単価データを乗じて算出した発注金額を含む発注データを作成し、前記物品データが示す物品が不定貫物品の場合、前記発注数量に、前記抽出手段が読み出した前記不定貫物品の前記標準度量衡データ、および前記度量衡単価データとを乗じて算出した発注金額を含む発注データを作成するステップと
を有する電子受発注方法。
【請求項２１】
前記受注業者の端末から受信する前記受注業者により納品された物品の納品数量に、前記納品された物品の納品単価データを乗じて算出した納品金額を含む納品データを作成するステップをさらにゆうする
請求項２０に記載の電子受発注方法。